(57)【要約】  カメラを含む検出器１１０，１２０により検出された対象物の検出情報の表示制御を行う表示制御方法であって、検出情報は、カメラ１１０により撮像された撮像画像に基づく第１画像と、検出器１１０，１２０の検出結果に基づいて描画された画像に基づく第２画像とを含み、車両の車速指標に応じて、第１画像と第２画像とを切り替えて表示する表示制御方法。
2017068692.tif 000002
【特許請求の範囲】
【請求項１】
カメラを含む検出器により検出された対象物の検出情報の表示制御を行う表示制御方法であって、
前記検出情報は、前記カメラにより撮像された撮像画像に基づく第１画像と、前記検出器の検出結果に基づいて描画された画像に基づく第２画像とを含み、
車両の車速指標に応じて、前記第１画像と第２画像とを切り替えて表示する表示制御方法。
【請求項２】
請求項１に記載の表示制御方法であって、
前記車速指標は、車両の走行速度であり、
前記走行速度が所定速度未満である場合には、前記第１画像を表示し、
前記走行速度が前記所定速度以上である場合には、前記第２画像を表示する表示制御方法。
【請求項３】
請求項１に記載の表示制御方法であって、
前記車速指標は、変速機の変速比であり、
前記変速比が所定値以上である場合には、前記第１画像を表示し、
前記変速比が前記所定値未満である場合には、前記第２画像を表示する表示制御方法。
【請求項４】
請求項１に記載の表示制御方法であって、
前記車速指標は、車両が走行する道路の種別であり、
前記道路の種別に応じて、前記第１画像と前記第２画像とを切り替える表示制御方法。
【請求項５】
請求項１に記載の表示制御方法であって、
前記車速指標は、車両が走行する道路の制限速度であり、
前記制限速度が所定速度未満である場合には、前記第１画像を表示し、
前記制限速度が前記所定速度以上である場合には、前記第２画像を表示する表示制御方法。
【請求項６】
請求項１に記載の表示制御方法であって、
前記車速指標は、車両から前記対象物までの距離であり、
前記距離が所定距離未満である場合には、前記第１画像を表示し、
前記距離が前記所定距離以上である場合には、前記第２画像を表示する表示制御方法。
【請求項７】
請求項１に記載の表示制御方法であって、
前記車速指標は、車両の走行シーンであり、
車両の走行状態に基づいて前記車両の走行シーンを判定し、前記車両の走行シーンに基づいて、前記第１画像と第２画像とを切り替えて表示する表示制御方法。
【請求項８】
請求項１〜７のいずれかに記載の表示制御方法であって、
前記第１画像を表示する場合に、前記第１画像の端部を、車両の走行速度または前記車速指標に応じた幅だけマスク処理する表示制御方法。
【請求項９】
請求項１〜８のいずれかに記載の表示制御方法であって、
前記第１画像を表示する場合に、前記第１画像に車両のボンネットを模したボンネット画像を重畳する表示制御方法。
【請求項１０】
請求項９に記載の表示制御方法であって、
車両の走行速度または前記車速指標に応じて、前記第１画像に重畳する前記ボンネット画像の大きさまたは形状を変更する表示制御方法。
【請求項１１】
請求項１〜１０のいずれかに記載の表示制御方法であって、
複数のカメラにより撮像された前記撮像画像を取得し、車両の走行速度または前記車速指標に基づいて、前記複数のカメラにより撮像された前記撮像画像の中から、前記第１画像の生成に用いる撮像画像を選択する表示制御方法。
【請求項１２】
請求項１〜１１のいずれかに記載の表示制御方法であって、
前記第１画像内において、前記検出器により検出された前記対象物を強調して表示する表示制御方法。
【請求項１３】
請求項１〜１２のいずれかに記載の表示制御方法であって、
前記検出器により検出された前記対象物のうち１または２以上の対象物を対象として車両の走行を制御している場合には、前記第１画像内において、前記制御の対象となる前記対象物を、前記制御の対象としない前記対象物とは異なる表示形態で強調して表示する表示制御方法。
【請求項１４】
請求項１〜１３のいずれかに記載の表示制御方法であって、
前記第１画像を表示する場合に、車両から前記対象物までの距離を示唆する距離情報を重畳する表示制御方法。
【請求項１５】
請求項１〜１４のいずれかに記載の表示制御方法であって、
前記第２画像は、自車両を上方から俯瞰した俯瞰画像に基づく画像である表示制御方法。
【請求項１６】
請求項１５に記載の表示制御方法であって、
前記第２画像を表示する場合に、前記車速指標に応じて、俯角の異なる前記第２画像を表示する表示制御方法。
【請求項１７】
請求項１〜１６のいずれかに記載の表示制御方法であって、
前記第２画像を表示する場合に、前記第２画像内に、前記検出器により検出された前記対象物を配置する表示制御方法。
【請求項１８】
請求項１〜１７のいずれかに記載の表示制御方法であって、
前記検出器により検出された前記対象物のうち１または２以上の対象物を対象として車両の走行を制御している場合には、前記第２画像内において、前記制御の対象となる前記対象物を強調して表示する表示制御方法。
【請求項１９】
請求項１〜１８のいずれかに記載の表示制御方法であって、
前記第２画像を表示する場合に、車両から前記対象物までの距離を示唆する距離情報を重畳する表示制御方法。
【請求項２０】
請求項１〜１９のいずれかに記載の表示制御方法であって、
前記第１画像と前記第２画像とを切り替える場合に、前記第１画像から前記第２画像への遷移、または、前記第２画像から前記第１画像への遷移を表す切り替え画像を表示する表示制御方法。
【請求項２１】
請求項２０に記載の表示制御方法であって、
車両の加速度に基づいて、前記第１画像と前記第２画像との切り替え時間を変更する表示制御方法。
【請求項２２】
カメラを含む検出器により検出された対象物の検出情報の表示制御を行う表示制御装置であって、
前記検出情報は、前記カメラにより撮像された撮像画像に基づく第１画像と、前記検出器の検出結果に基づいて描画された画像に基づく第２画像とを含み、
車両の車速指標に応じて、前記第１画像と第２画像とを切り替えて表示する表示制御装置。
【発明の詳細な説明】
【技術分野】
【０００１】
本発明は、対象物の検出情報の表示制御を行う表示制御方法および表示制御装置に関する。
【背景技術】
【０００２】
従来、カメラで撮像した車外の撮像画像を車内のモニタに表示する技術が知られている。このような技術において、車両の走行速度が速い場合には、対象物が撮像される撮像画像の大きさを大きくする技術が知られている（たとえば特許文献１）。
【先行技術文献】
【特許文献】
【０００３】
【特許文献１】特開２０１４−１８２５４３号公報
【発明の概要】
【発明が解決しようとする課題】
【０００４】
しかしながら、撮像画像には対象物の他に風景なども撮像されるため、車両の走行速度によってはドライバーに提示される情報が過多となり、ドライバーが必要な対象物の情報を把握することが困難な場合があった。【０００５】
本発明が解決しようとする課題は、対象物の検出情報を適切に表示することが可能な表示制御方法および表示制御装置を提供することである。  
【課題を解決するための手段】
【０００６】
本発明は、車両の車速指標に応じて、カメラにより撮像された撮像画像に基づく第１画像と、検出器の検出結果に基づいて描画された画像に基づく第２画像とを切り替えて表示することで、上記課題を解決する。
【発明の効果】
【０００７】
本発明によれば、車両の車速指標に応じて、カメラにより撮像された撮像画像に基づく第１画像と、検出器の検出結果に基づいて描画された画像に基づく第２画像とを切り替えることで、対象物の検出情報を、自車両の走行速度に応じた適切な表示形態で表示することができる。
【図面の簡単な説明】
【０００８】
【図１】本実施形態に係る情報提示装置の構成を示す構成図である。
【図２】走行情報と車速指標との関係の一例を示す図である。
【図３】車速指標と提示画像の画像タイプとの関係の一例を示す図である。
【図４】撮像画像タイプの提示画像および俯瞰画像タイプの提示画像の一例を示す図である。
【図５】車速指標または自車両の走行速度と、提示画像の生成に用いる撮像画像との関係を説明するための図である。
【図６】自車両の走行速度と撮像画像のマスク幅との関係を説明するための図である。
【図７】図６（Ｂ）に示すマスク処理後の画像に対して、ボンネット画像を重畳した画像の一例を示す図である。
【図８】図６（Ａ）に示す画像において、検出対象物を強調表示した画像の一例を示す図である。
【図９】図８（Ａ）に示す画像において、制御対象物を強調表示した画像の一例を示す図である。
【図１０】図９（Ａ），（Ｂ）に示す画像に対して、自車両から検出対象物までの距離情報を重畳した画像（撮像画像に基づく提示画像）の一例を示す図である。
【図１１】車速指標に基づいて描画された俯瞰画像の一例を示す図である。
【図１２】図１１に示す画像に対して、検出対象物を配置した画像の一例を示す図である。
【図１３】図１２に示す画像において、制御対象物を強調表示した画像の一例を示す図である。
【図１４】図１３に示す画像に対して、距離ガイドラインを重畳した画像（俯瞰画像に基づく提示画像）の一例を示す図である。
【図１５】本実施形態に係る情報提示処理の一例を示すフローチャートである。
【図１６】ステップＳ１０８の撮像画像提示処理を示すフローチャートである。
【図１７】ステップＳ１０９の俯瞰画像提示処理を示すフローチャートである。
【図１８】ステップＳ１１３の画像切り替え処理を示すフローチャートである。
【図１９】撮像画像に基づく提示画像から俯瞰画像に基づく提示画像への切り替え画像の一例を示す図である。
【図２０】俯瞰画像に基づく提示画像から撮像画像に基づく提示画像への切り替え画像の一例を示す図である。
【図２１】車速指標と提示画像の遷移との関係の一例を示す図である。
【発明を実施するための形態】
【０００９】
以下、本発明の実施形態を図面に基づいて説明する。なお、本実施形態では、車両に搭載される情報提示装置を例示して説明する。また、本実施形態に係る情報提示装置は、歩行者、自転車、バイク、自動車、路上障害物、構造物、信号機、標識、車線、道路端（縁石やガードレールなど）などを対象物として検出し、検出した対象物に関する提示情報を、車両のドライバーに提示するものである。
【００１０】
図１は、本実施形態に係る情報提示装置１００の構成を示す図である。図１に示すように、本実施形態に係る情報提示装置１００は、カメラ１１０と、測距センサ１２０と、車速センサ１３０と、ナビゲーション装置１４０と、ディスプレイ１５０と、報知装置１６０と、制御装置１７０とを有している。これら装置は、相互に情報の授受を行うためにＣＡＮ（Controller Area Network）その他の車載ＬＡＮによって接続されている。
【００１１】
カメラ１１０は、自車両の周囲を撮像する１または複数のカメラから構成される。本実施形態では、自車両の前方を撮像するカメラ１１０として、自車両から近距離の位置に存在する対象物の撮影に適した近距離カメラと、自車両から中距離の位置に存在する対象物の撮影に適した中距離カメラと、自車両から長距離の位置に存在する対象物の撮影に適した遠距離カメラと、を有する。カメラ１１０により撮像された撮像画像は、制御装置１７０に出力される。
【００１２】
測距センサ１２０は、自車両の前方の対象物を検出する前方レーダー、自車両の後方の対象物を検出する後方レーダー、および自車両の側方に存在する対象物を検出する側方レーダーなどから構成される。また、測距センサ１２０として、超音波センサ、音波センサ、赤外線センサなどを用いることもできる。測距センサ１２０は、自車両の周囲に存在する対象物の位置および自車両から対象物までの距離を検出し、その検出結果を、制御装置１７０に出力する。
【００１３】
車速センサ１３０は、ドライブシャフトなどの駆動系の回転速度を計測し、これに基づいて車両の走行速度（以下、車速ともいう）を検出する。車速センサ１３０により検出された車速情報は制御装置１７０に出力される。
【００１４】
ナビゲーション装置１４０は、地図データベース、ＧＰＳセンサ、方位センサを含み、自車両の現在位置を計測し、計測した現在位置周辺の地図データをディスプレイ１５０に表示する。また、ナビゲーション装置１４０は、自車両が走行する道路の種別（たとえば、駐車場、市街地の道路、高速道路など）を特定し、特定した道路の種別を制御装置１７０に出力する。なお、ナビゲーション装置１４０が、ディスプレイ１５０、報知装置１６０、および制御装置１７０を兼ね備える構成としてもよい。
【００１５】
ディスプレイ１５０は、制御装置１７０の制御により、自車両の周囲に存在する対象物に関する提示情報を、ディスプレイ１５０が備える画面に提示する。ディスプレイ１５０としては、たとえば、ナビゲーション装置１４０が有するディスプレイ、ルームミラーに組み込まれたディスプレイ、メーター部に組み込まれたディスプレイ、あるいは、フロントガラスに映し出されるヘッドアップディスプレイなどが挙げられる。
【００１６】
報知装置１６０は、音、音声、光、または振動などを発することで、後述するように、撮像画像に基づく提示情報と俯瞰画像に基づく提示情報とが切り替わることを、ドライバーに報知する。報知装置１６０としては、たとえば、スピーカー、警告ランプ、あるいは、振動体を埋設したハンドルやシートなどのハプティック装置などが挙げられる。
【００１７】
制御装置１７０は、対象物に関する提示情報の表示制御を行うためのプログラムを格納したＲＯＭ（Read Only Memory）と、このＲＯＭに格納されたプログラムを実行するＣＰＵ（Central Processing Unit）と、アクセス可能な記憶装置として機能するＲＡＭ（Random Access Memory）とから構成される。なお、動作回路としては、ＣＰＵ（Central Processing Unit）に代えて又はこれとともに、ＭＰＵ（Micro Processing Unit）、ＤＳＰ（Digital Signal Processor）、ＡＳＩＣ（Application Specific Integrated Circuit）、ＦＰＧＡ（Field Programmable Gate Array）などを用いることができる。
【００１８】
制御装置１７０は、ＲＯＭに格納されたプログラムをＣＰＵにより実行することにより、各種走行情報を取得する情報取得機能と、自車両の周囲に存在する対象物を検出する対象物検出機能と、車速指標を設定する車速指標設定機能と、提示画像の画像タイプを選択する画像タイプ選択機能と、撮像画像に基づいて提示画像を生成する第１画像生成機能と、俯瞰画像に基づいて提示画像を生成する第２画像生成機能と、提示画像をディスプレイ１５０に表示する表示機能と、自車両の自動走行を制御する走行制御機能と、を実現する。以下において、制御装置１７０が備える各機能について説明する。
【００１９】
制御装置１７０の情報取得機能は、カメラ１１０、測距センサ１２０、車速センサ１３０およびナビゲーション装置１４０から各種走行情報を取得する。たとえば、情報取得機能は、カメラ１１０により撮像された撮像画像をカメラ１１０から取得し、測距センサ１２０の検出結果を測距センサ１２０から取得し、自車両の走行速度を車速センサ１３０から取得し、また、自車両の位置情報（自車両が走行する道路の種別情報も含む）をナビゲーション装置１４０から取得する。
【００２０】
制御装置１７０の対象物検出機能は、カメラ１１０により撮像された撮像画像および測距センサ１２０の検出結果に基づいて、自車両の周囲に存在する対象物を検出する。また、対象物検出機能は、カメラ１１０により撮像された撮像画像や測距センサ１２０の検出結果に基づいて、対象物の位置や自車両から対象物までの距離も検出する。さらに、対象物検出機能は、撮像画像に撮像された対象物の色や形状に基づいて、歩行者、自転車、バイク、自動車、路上障害物、構造物、信号機、標識、車線、道路端（縁石やガードレール）などの対象物の種別、標識に記載された制限速度、信号機の信号の色なども検出することができる。
【００２１】
制御装置１７０の車速指標設定機能は、自車両の走行速度に関連する指標を、車速指標として設定する。本実施形態において、車速指標設定機能は、「１」〜「５」の５段階で、車速指標を設定する。車速指標は、自車両が遅い速度で走行している場面ほど低い数値になる傾向にあり、自車両が速い速度で走行している場面ほど高い数値になる傾向にある。
【００２２】
図２は、各種走行情報と車速指標との関係の一例を示す図である。車速指標設定機能は、自車両の走行速度Ｖに応じて、車速指標を設定することができる。たとえば図２に示す例において、車速指標設定機能は、自車両の走行速度Ｖがゼロ以上かつＸ１未満であり、自車両が停止または極低速で走行していると判断できる場合には、車速指標を「１」として設定する。また、車速指標設定機能は、自車両の走行速度ＶがＸ１以上かつＸ２未満であり、自車両が低速で走行していると判断できる場合には、車速指標を「２」として設定する。同様に、車速指標設定機能は、図２に示すように、自車両の走行速度Ｖが速いほど、車速指標を大きい数値に設定する。なお、図２に示す例において、Ｘ１，Ｘ２，Ｘ３およびＸ４の関係は、Ｘ１＜Ｘ２＜Ｘ３＜Ｘ４となっている。
【００２３】
また、車速指標設定機能は、トランスミッションの変速比に応じて、車速指標を設定することができる。たとえば、車速指標設定機能は、トランスミッションから変速比の情報を取得し、トランスミッションの変速比が「１速」〜「５速以上」のいずれに対応するかを判断する。たとえば図２に示す例において、車速指標設定機能は、トランスミッションの変速比が「１速」に対応する変速比である場合には、車速指標を「１」として設定する。また、車速指標設定機能は、トランスミッションの変速比が「２速」に対応する変速比である場合には、車速指標を「２」として設定する。同様に、車速指標設定機能は、図２に示すように、トランスミッションの変速比が小さいほど、車速指標を大きい数値に設定する。また、車速指標設定機能は、シフトレバーを操作してトランスミッションの変速比を変えることができる場合には、シフトレバーの位置に応じて、車速指標を設定する構成としてもよい。
【００２４】
また、車速指標設定機能は、自車両が走行する道路の道路種別に基づいて、車速指標を設定することができる。たとえば、車速指標設定機能は、ナビゲーション装置１４０から自車両が走行する道路の種別情報を取得する。そして、車速指標設定機能は、自車両が「駐車場」で駐停車または走行している場合には、自車両が停止または徐行していると判断し、車速指標を「１」として設定する。また、車速指標設定機能は、自車両が「市街地を除く一般市町村道」を走行している場合には、車速指標を「２」として設定する。同様に、車速指標設定機能は、図２に示すように、自車両が「市街地道路」を走行する場合には車速指標を「３」として設定し、自車両が「幹線道路」を走行する場合には車速指標を「４」として設定し、自車両が「自動車専用道路または高速道路」を走行する場合には車速指標を「５」として設定することができる。
【００２５】
さらに、車速指標設定機能は、自車両が走行する道路の制限速度Ｖｒに基づいて、車速指標を設定することができる。たとえば図２に示す例において、車速指標設定機能は、自車両が走行する道路の制限速度ＶｒがＸ１未満である場合には、車速指標を「１」として設定する。また、車速指標設定機能は、自車両が走行する道路の制限速度ＶｒがＸ１以上かつＸ２未満である場合には、車速指標を「２」として設定する。同様に、車速指標設定機能は、図２に示すように、自車両が走行する道路の制限速度Ｖｒが速いほど、車速指標を大きい数値に設定することができる。
【００２６】
加えて、車速指標設定機能は、自車両から対象物までの距離Ｄに応じて、車速指標を設定することができる。たとえば図２に示す例において、車速指標設定機能は、自車両から対象物までの距離ＤがＤ１未満である場合には、車速指標を「１」として設定する。また、車速指標設定機能は、自車両から対象物までの距離ＤがＤ１以上かつＤ２未満である場合には、車速指標を「２」として設定する。同様に、車速指標設定機能は、図２に示すように、自車両から対象物までの距離Ｄが長いほど、車速指標を大きい数値に設定することができる。なお、図２に示す例において、Ｄ１，Ｄ２，Ｄ３およびＤ４の関係は、Ｄ１＜Ｄ２＜Ｄ３＜Ｄ４となっている。
【００２７】
また、車速指標設定機能は、自車両の走行シーンに基づいて、車速指標を設定することができる。たとえば、車速指標設定機能は、自車両の走行速度Ｖ、自車両の走行場所（たとえば駐車場、商店街、複数車線の道路など）および自車両の周囲で検出された対象物の種別や数などに基づいて、自車両の走行シーンが、予め定めた走行シーンであるか否かを判定する。そして、車速指標設定機能は、図２に示すように、車速指標を、各走行シーンに応じた数値に設定することができる。
【００２８】
たとえば、図２に示す例において、車速指標設定機能は、自車両が駐車場や商店街を走行しており、周囲に歩行者や自転車が多数存在する場合には、自車両の走行シーンを「停車・徐行シーン」と判定する。そして、車速指標設定機能は、図２に示すように、車速指標を、「停車・徐行シーン」に対応する「１」に設定することができる。また、車速指標設定機能は、自車両の側方に自転車通行帯を検出し、さらに、自車両の周囲に自転車を検出した場合には、自車両の走行シーンを「自転車並走シーン」と判定する。そして、車速指標設定機能は、図２に示すように、車速指標を、「自転車並走シーン」に対応する「２」に設定することができる。さらに、車速指標設定機能は、自車両が対向車両と対面通行可能な道路を走行しており、さらに、対向車両が１５〜４０ｋｍ／ｈで走行している場合には、自車両の走行シーンを「街中走行シーン」と判定する。そして、車速指標設定機能は、図２に示すように、車速指標を、「街中走行シーン」に対応する「３」に設定することができる。加えて、車速指標設定機能は、自車両が複数の車線を有する道路を走行しており、さらに、他車両が４０〜６０ｋｍ／ｈで走行している場合には、自車両の走行シーンを「郊外走行シーン」と判定する。そして、車速指標設定機能は、図２に示すように、車速指標を、「郊外走行シーン」に対応する「４」に設定することができる。また、車速指標設定機能は、自車両が信号機のない複数車線の道路を走行しており、さらに、他車両が６０ｋｍ／ｈ以上で走行している場合には、自車両の走行シーンを「高速巡航シーン」と判定する。そして、車速指標設定機能は、図２に示すように、車速指標を、「高速巡航シーン」に対応する「５」に設定することができる。
【００２９】
制御装置１７０の画像タイプ選択機能は、車速指標設定機能により設定された車速指標に基づいて、提示画像の画像タイプを選択する。具体的には、画像タイプ選択機能は、図３に示すように、車速指標が「１」または「２」である場合には、撮像画像に基づく提示画像を提示する撮像画像タイプを、提示画像の画像タイプとして選択する。また、画像タイプ選択機能は、図３に示すように、車速指標が「３」〜「５」である場合には、俯瞰画像に基づく提示画像を提示する俯瞰画像タイプを、提示画像の画像タイプとして選択する。
【００３０】
ここで、図４（Ａ）は、撮像画像タイプが選択された場合の提示画像の一例を示す図であり、図４（Ｂ）は、俯瞰画像タイプが選択された場合の提示画像の一例を示す図である。このように、撮像画像タイプが選択された場合には、図４（Ａ）に示すように、撮像画像に基づく提示画像が表示され、俯瞰画像タイプが選択された場合には、図４（Ｂ）に示すように、俯瞰画像に基づく提示画像が表示されることとなる。
【００３１】
制御装置１７０の第１画像生成機能は、画像タイプ選択機能により撮像画像タイプが選択された場合に、図４（Ａ）に示すように、カメラ１１０に撮像された撮像画像に基づいて提示画像を生成する。以下に、第１画像生成機能による提示画像の生成方法について詳細に説明する。
【００３２】
まず、第１画像生成機能は、車速指標または自車両の走行速度Ｖに基づいて、提示画像の生成に用いる撮像画像を選択する。本実施形態に係る情報提示装置１００は、自車両から近距離の位置に存在する対象物の撮影に適した近距離カメラと、自車両から中距離の位置に存在する対象物の撮影に適した中距離カメラと、自車両から長距離の位置に存在する対象物の撮影に適した遠距離カメラと、を有する。そして、第１画像生成機能は、たとえば図５に示すように、車速指標が「１」の場合には、提示画像の生成に用いる撮像画像として、近距離カメラにより撮像された撮像画像を選択する。同様に、第１画像生成機能は、車速指標が「２」の場合には、提示画像の生成に用いる撮像画像として、中距離カメラにより撮像された撮像画像を選択する。なお、遠距離カメラは、車速指標が「３」以上である場合（すなわち、提示画像が俯瞰画像タイプとなる場合）に、対象物を検出するために用いられる。
【００３３】
なお、第１画像生成機能は、図５に示すように、自車両の走行速度Ｖがゼロ以上かつＸ１未満である場合に、提示画像の生成に用いる撮像画像として、近距離カメラにより撮像された撮像画像を選択し、自車両の走行速度ＶがＸ１以上かつＸ２未満である場合に、提示画像の生成に用いる撮像画像として、中距離カメラにより撮像された撮像画像を選択する構成とすることもできる。
【００３４】
次いで、第１画像生成機能は、自車両の走行速度Ｖに応じて、選択した撮像画像にマスク処理を施す。ここで、図６は、撮像画像のマスク処理を説明する図であり、（Ａ）はマスク処理前の撮像画像であり、（Ｂ）はマスク処理後の撮像画像である。たとえば、図６（Ａ）に示すように、カメラ１１０で撮像された撮像画像の幅をＬとし、マスク処理が行われるマスク幅をｄとした場合に、第1画像生成機能は、下記式（１）に示すように、自車両の走行速度Ｖおよび上限速度Ｖｌｉｍｉｔに基づいて、マスク幅ｄを算出することができる。
マスク幅ｄ＝Ｌ／２×Ｖ／Ｖｌｉｍｉｔ  ・・・（１）
なお、上限速度Ｖｌｉｍｉｔは、撮像画像タイプが選択される場合の走行速度Ｖの上限値である。たとえば、走行速度ＶがＸ２未満である場合に車速指標が「２」に設定され、撮像画像に基づく提示画像が表示される場合には、「Ｘ２」が上限速度Ｖｌｉｍｉｔとなる。
【００３５】
このように、第１画像生成機能は、自車両の走行速度Ｖが速いほど、マスク幅ｄを広く算出する。そして、第１画像生成機能は、算出したマスク幅ｄだけ、撮像画像の左右方向（Ｙ方向）の端部をマスクするマスク処理を行う。これにより、自車両の走行速度Ｖが速い場合には、図６（Ｂ）に示すように、カメラ１１０で撮像された撮像画像と比べて、左右方向（Ｙ方向）に短い画像が生成される。なお、第１画像生成機能は、車速指標に応じたマスク幅ｄだけ、撮像画像をマスクすることもできる。この場合、第１画像生成機能は、車速指標が「２」である場合には、車速指標が「１」である場合よりも、マスク幅が広くなるようにマスク処理を行う。
【００３６】
次いで、第１画像生成機能は、マスク処理を行った撮像画像に対して、自車両のボンネットを模したボンネット画像を重畳する。具体的には、第１画像生成機能は、図７（Ａ）に示すように、マスク処理を行った撮像画像の下側に、ボンネット画像を重畳する。なお、ボンネット画像は、たとえば、コンピューターグラフィックスにより予め描画された画像であり、制御装置１７０のＲＯＭに記憶しておく構成とすることができる。また、自車両の実際のボンネットの撮像画像を、ボンネット画像として制御装置１７０のＲＯＭに記憶しておく構成としてもよい。なお、図７（Ａ），（Ｂ）は、図６（Ｂ）に示すマスク処理後の画像に対して、ボンネット画像を重畳した画像の一例を示す図である。
【００３７】
さらに、第１画像生成機能は、自車両の走行速度Ｖまたは車速指標に応じて、ボンネット画像の大きさ、形状を変更することができる。たとえば、第１画像生成機能は、自車両の走行速度ＶがＸ１未満である場合には、図７（Ａ）に示すように、ボンネット画像の上下方向（Ｘ方向）の長さを比較的短くし、自車両の走行速度ＶがＸ１以上である場合には、図７（Ｂ）に示すように、ボンネット画像の上下方向（Ｘ方向）の長さを比較的長くすることができる。また、第１画像生成機能は、自車両の走行速度ＶがＸ１以上である場合には、ボンネット画像の上端部分（ボンネット画像を台形とした場合にその上底部分）の長さを短くする構成としてもよい。また、第１画像生成機能は、自車両の車速指標が「１」の場合に、図７（Ａ）に示すように、ボンネット画像の上下方向（Ｘ方向）の長さを比較的短くし、自車両の車速指標が「２」である場合に、図７（Ｂ）に示すように、ボンネット画像の上下方向（Ｘ方向）の長さを比較的長くする構成とすることもできる。なお、図７（Ａ），（Ｂ）に示す例では、ボンネット画像の大きさ、形状を２段階で変化させる構成を例示したが、この構成に限定されず、たとえば、自車両の走行速度Ｖに応じて、より多段的に、ボンネット画像の大きさ、形状を変化させる構成としてもよい。あるいは、自車両の走行速度Ｖに応じて、連続的に、ボンネット画像の大きさ、形状を変化させる構成としてもよい。
【００３８】
次いで、第１画像生成機能は、対象物検出機能の検出結果に基づいて、撮像画像内の対象物を強調表示する。ここで、図８は、図６（Ａ）に示す画像において、対象物を強調表示した画像の一例である。なお、図８に示す例では、説明の便宜のために、歩行者のみが対象物として検出された場面を例示する（後述する図９、図１０も同様。）。この場合、第１画像生成機能は、たとえば、図８（Ａ）に示すように、対象物検出機能に検出された対象物（以下、検出対象物ともいう。）に枠線ｅ１，ｅ２を重畳することで、検出対象物を強調して表示することができる。また、第１画像生成機能は、たとえば図８（Ｂ）に示すように、検出対象物に下線ｅ３，ｅ４を重畳することで、検出対象物を強調して表示する構成とすることもできる。さらに、第１画像生成機能は、たとえば図８（Ｃ）に示すように、検出対象物に丸（点）ｅ５，ｅ６を重畳することで、検出対象物を強調して表示する構成とすることもできる。
【００３９】
次に、第１画像生成機能は、対象物検出機能により検出された検出対象物のうち、自車両の自動走行制御の対象となる対象物（以下、制御対象物といもいう。）を、他の検出対象物とは異なる表示形態で強調表示する。ここで、図９は、図８（Ａ）に示す画像において、制御対象物を強調表示した画像の一例を示す図である。たとえば、第１画像生成機能は、図９（Ａ）に示すように、検出対象物に黄色の枠線ｅ１（図９（Ａ）中では黒の実線で示す。）を重畳した場合には、制御対象物に赤色の枠線ｆ１（図９（Ａ）中では黒の破線で示す。）を重畳することで、制御対象物を他の検出対象物とは異なる表示形態で強調表示することができる。また、第１画像生成機能は、図９（Ｂ）に示すように、検出対象物に細い枠線ｅ１を重畳した場合には、制御対象物に太い枠線ｆ２を重畳することで、制御対象物を他の検出対象物とは異なる表示形態で強調表示することができる。
【００４０】
続いて、第１画像生成機能は、制御対象物を強調表示した画像に対して、自車両から検出対象物（制御対象物を含む）までの距離情報を重畳する。ここで、図１０は、図９（Ａ），（Ｂ）に示す画像に対して、自車両から検出対象物（制御対象物を含む）までの距離情報を重畳した画像の一例を示す図である。たとえば、第１画像生成機能は、図１０（Ａ），（Ｂ）に示すように、検出対象物の下方に、自車両から検出対象物（制御対象物を含む）までの距離を示す数値を重畳することで、自車両から検出対象物までの距離情報を重畳することができる。また、第１画像生成機能は、図１０（Ｃ）に示すように、検出対象物の下方に、自車両から検出対象物（制御対象物を含む）までの距離を示すパターン（模様またはアイコンなど）ｇ１，ｇ２を重畳する構成とすることもできる。なお、図１０（Ｃ）に示す例では、自車両から検出対象物（制御対象物を含む）までの距離が長いほど、パターンの長さは長くなる。
【００４１】
以上のように、第１画像生成機能は、カメラ１１０により撮像された撮像画像に対して、（１）マスク処理、（２）ボンネット画像の重畳処理、（３）検出対象物の強調表示、（４）制御対象物の強調表示、（５）距離情報の重畳処理を行うことで、提示画像を生成する。
【００４２】
制御装置１７０の第２画像生成機能は、たとえばコンピューターグラフィックスなどを用いて描画することで、自車両を上方から俯瞰したような俯瞰画像を生成する。そして、第２画像生成機能は、生成した俯瞰画像に基づいて、提示画像を生成する。以下に、第２画像生成機能による提示画像の生成方法を詳細に説明する。
【００４３】
まず、第２画像生成機能は、図１１に示すように、車速指標に応じた俯角の俯瞰画像を描画する。たとえば、第２画像生成機能は、車速指標が「３」である場合には、図１１（Ａ）に示すように、俯角が比較的小さい俯瞰画像を描画する。また、第２画像生成機能は、車速指標が「４」である場合には、図１１（Ｂ）に示すように、俯角が中程度の俯瞰画像を描画し、車速指標が「５」である場合には、図１１（Ｃ）に示すように、俯角が比較的大きい俯瞰画像を描画する。このように、第２画像生成機能は、車速指標が大きいほど、俯角の大きい俯瞰画像を描画する。そして、第２画像生成機能は、自車両Ｖ１を示すアイコンを、俯瞰画像の中央または中央下側に描画する。なお、図１１は、車速指標に基づいて描画された俯瞰画像の一例を示す図である。また、図１１に示す例では、自車両Ｖ１が３車線の道路を走行する場面に描画される俯瞰画像を例示しているが、たとえば、カメラ１１０、測距センサ１２０、ナビゲーション装置１４０などから自車両Ｖ１が２車線の道路を走行する場面であると判断できる場合には、自車両Ｖ１が２車線の道路を走行する場面を示す俯瞰画像を描画することができる。
【００４４】
次いで、第２画像生成機能は、図１２（Ａ）〜（Ｃ）に示すように、描画した俯瞰画像に対して、対象物検出機能により検出された検出対象物を示すアイコンを配置する。たとえば、第２画像生成機能は、対象物検出機能から検出対象物の相対位置および相対距離の情報を取得する。そして、第２画像生成機能は、図１２（Ａ）〜（Ｃ）に示すように、検出対象物を示すアイコンを、自車両Ｖ１と検出対象物との実際の位置関係に対応する俯瞰画像上の位置に配置する。たとえば、図１２（Ａ）〜（Ｃ）に示す例では、他車両ｔ１が自車両Ｖ１の前方を走行しているため、俯瞰画像上においても、自車両Ｖ１を示すアイコンの前方に他車両ｔ１を示すアイコンを配置する。
【００４５】
なお、本実施形態では、図１２（Ａ）〜（Ｃ）に示すように、車速指標が大きいほど、自車両をより上方から俯瞰しているように俯瞰画像を描画する。そのため、車速指標が大きいほど、検出対象物が表示される表示範囲は広くなる。たとえば、図１２（Ａ）では、俯角が比較的小さいため検出対象物ｔ１だけが俯瞰画像上に表示され、図１２（Ｂ）では、俯角が中程度であるため検出対象物ｔ１〜ｔ３が俯瞰画像上に表示され、図１２（Ｃ）では、俯角が比較的大きいため自車両の周囲に存在する検出対象物ｔ１〜ｔ５が俯瞰画像上に表示される。なお、図１２（Ａ）〜（Ｃ）は、図１１（Ａ）〜（Ｃ）に示す俯瞰画像のそれぞれに対して、検出対象物を配置した画像の一例を示す図である。
【００４６】
次いで、第２画像生成機能は、図１３に示すように、検出対象物を配置した俯瞰画像において、制御対象物を強調して表示する。ここで、図１３は、図１２に示す画像に対して、制御対象物を強調表示した画像の一例を示す図である。たとえば、第２画像生成機能は、図１３（Ａ）〜（Ｃ）に示すように、検出対象物のうち制御対象物ｃ１を示すアイコン全体を黄色（図１３に示す例では濃いグレーで示す。）で表示することで、制御対象物を検出対象物とは異なる表示形態で強調表示することができる。また、第２画像生成機能は、図１３（Ｄ）〜（Ｆ）に示すように、制御対象物を示すアイコンに赤色の枠線（図１３に示す例では黒色の枠線で示す。）を重畳することで、制御対象物を強調表示する構成とすることもできる。
【００４７】
続いて、第２画像生成機能は、図１４（Ａ）〜（Ｆ）に示すように、制御対象物を強調表示した俯瞰画像に対して、距離ガイドラインを重畳する。図１４は、図１３に示す画像に対して、距離ガイドラインを重畳した画像の一例を示す図である。なお、第２画像生成機能は、自車両と他車両との距離に基づいて、距離ガイドラインが示す距離を変更することができる。たとえば、第２画像生成機能は、自車両と他車両との車間距離が短い場合に、距離ガイドラインが示す距離を短くすることができる。
【００４８】
このように、第２画像生成機能は、（１）車速指標に応じた俯角の俯瞰画像の描画、（２）検出対象物の配置、（３）制御対象物の強調表示、（４）距離ガイドラインの重畳処理を行うことで、提示画像を生成する。
【００４９】
制御装置１７０の表示機能は、第１画像生成機能または第２画像生成機能により生成された提示画像の画像データを、ディスプレイ１５０に送信し、ディスプレイ１５０の画面に表示する。これにより、ドライバーに提示画像を提示することができる。
【００５０】
制御装置１７０の走行制御機能は、自車両の自動走行を制御する。たとえば、走行制御機能は、カメラ１１０や測距センサ１２０の検出結果に基づいて、自車両が走行する車線（以下、自車線ともいう。）のレーンマークを検出し、自車両が自車線内に走行するように、自車両の幅員方向における走行位置を制御するレーンキープ制御を行うことができる。この場合、走行制御機能は、自車両が適切な走行位置を走行するように、ステアリングアクチュエータなどの動作を制御することができる。また、走行制御機能は、先行車両と一定の車間距離を空けて、先行車両に自動で追従する追従走行制御を行うこともできる。この場合、走行制御機能は、自車両と先行車両とが一定の車間距離で走行するように、エンジンやブレーキなどの駆動機構の動作を制御することができる。さらに、走行制御機能は、対象物検出機能により特定された制御対象物に基づいて、自車両の走行を制御する。たとえば、走行制御機能は、制御対象物を回避するように、あるいは、制御対象物の手前で停止するように、ステアリングアクチュエータ、エンジン、およびブレーキなどを制御する。
【００５１】
続いて、図１５を参照して、本実施形態に係る情報提示処理について説明する。図１５は、本実施形態に係る情報提示処理を示すフローチャートである。なお、以下に説明する情報提示処理は、制御装置１７０により実行される。また、以下に説明する情報提示処理は、イグニッションがオンになった場合に開始し、イグニッションがオフとなるまで繰り返し行われる。
【００５２】
まず、ステップＳ１０１では、情報取得機能により、カメラ１１０により撮像された撮像画像、測距センサ１２０の検出結果、車速センサ１３０により検出された自車両の走行速度Ｖ、ナビゲーション装置１４０により検出された自車両の位置情報など、各種走行情報が取得される。そして、ステップＳ１０２では、車速指標設定機能により、ステップＳ１０１で取得した各種走行情報に基づいて、図２に示すように、車速指標の設定が行われる。
【００５３】
ステップＳ１０３では、対象物検出機能により、ステップＳ１０１で取得した撮像画像および測距センサ１２０の検出結果に基づいて、自車両の周囲に存在する対象物が検出対象物として検出される。また、ステップＳ１０４では、対象物検出機能により、検出対象物のうち自動走行制御の対象となる対象物が、制御対象物として特定される。
【００５４】
ステップＳ１０５では、画像タイプ選択機能により、直前のステップＳ１０２の処理（今回処理時のステップＳ１０２の処理）が、最初の車速指標の設定処理であるか否かの判断が行われる。すなわち、イグニッションがオンとなり、図１５の情報提示処理が開始された直後のステップＳ１０５では、直前のステップＳ１０２の処理までは車速指標が設定されていないため、直前のステップＳ１０２が最初の車速指標の設定処理と判断され、ステップＳ１０６に進む。一方、ステップＳ１０２で車速指標が設定された後に、ステップＳ１１０でイグニッションがオンであると判断され、ステップＳ１０１に戻った後、再度、ステップＳ１０２の処理が行われた場合には、直前のステップＳ１０２は最初の車速指標の設定処理と判断されず、ステップＳ１１２に進む。
【００５５】
ステップＳ１０６では、画像タイプ選択機能により、ステップＳ１０２で設定された車速指標に基づいて、提示画像の画像タイプの選択が行われる。そして、ステップＳ１０７では、制御装置１５０により、ステップＳ１０６で選択された提示画像の画像タイプが、撮像画像タイプであるか、俯瞰画像タイプであるかの判断が行われる。提示画像の画像タイプが撮像画像タイプである場合には、ステップＳ１０８に進み、一方、提示画像の画像タイプが俯瞰画像タイプである場合には、ステップＳ１０９に進む。
【００５６】
ステップＳ１０８では、カメラ１１０で撮像された撮像画像に基づいて提示画像を生成し、撮像画像に基づく提示画像を提示する、撮像画像提示処理が行われる。ここで、図１６は、ステップＳ１０８に示す撮像画像提示処理を示すフローチャートである。以下に、図１６を参照して、ステップＳ１０８の撮像画像提示処理について説明する。
【００５７】
まず、ステップＳ２０１では、第１画像生成機能により、複数のカメラ１１０により撮像された撮像画像の中から、提示画像の生成に用いる撮像画像が決定される。たとえば、第１画像生成機能は、図６に示すように、自車両の走行速度Ｖまたは車速指標に応じて、提示画像の生成に用いる撮像画像を選択することができる。
【００５８】
ステップＳ２０２では、第１画像生成機能により、ステップＳ２０１で選択された撮像画像に対して、マスク処理が施される。たとえば、第１画像生成機能は、図６（Ａ），（Ｂ）に示すように、自車両の走行速度Ｖに応じたマスク幅ｄだけ、撮像画像の左右方向（Ｙ方向）の端部をマスクすることができる。これにより、図６（Ａ）に示す撮像画像に基づいて、図６（Ｂ）に示すように、マスク処理が行われた撮像画像が生成される。
【００５９】
ステップＳ２０３では、第１画像生成機能により、図７に示すように、ステップＳ２０２でマスク処理された撮像画像に対して、ボンネット画像が重畳される。また、第１画像生成機能は、自車両の走行速度Ｖまたは車速指標に基づいて、ボンネット画像の大きさ、形状を変更して、撮像画像に重畳することができる。
【００６０】
ステップＳ２０４では、第１画像生成機能により、ステップＳ２０３でボンネット画像を重畳した撮像画像において、検出対象物の強調表示が行われる。たとえば、第１画像生成機能は、図８（Ａ）〜（Ｃ）に示すように、ステップＳ１０３で検出された検出対象物に、枠線、下線、丸（点）などを重畳することで、検出対象物を強調して表示することができる。
【００６１】
ステップＳ２０５では、第１画像生成機能により、ステップＳ２０４で検出対象物が強調表示された撮像画像において、さらに、制御対象物の強調表示が行われる。たとえば、第１画像生成機能は、図９（Ａ），（Ｂ）に示すように、ステップＳ１０４で特定された制御対象物に、他の検出対象物とは異なる表示形態の枠線などを重畳することで、制御対象物を他の検出対象物とは異なる表示形態で強調表示することができる。
【００６２】
ステップＳ２０６では、第１画像生成機能により、ステップＳ２０５で制御対象物が強調表示された撮像画像に対して、自車両から検出対象物（制御対象物を含む）までの距離情報が重畳される。たとえば、第１画像生成機能は、図１０（Ａ）〜（Ｃ）に示すように、検出対象物の下方に、ステップＳ１０３で取得した検出対象物の距離情報を重畳することができる。
【００６３】
このように、ステップＳ２０２〜２０６では、ステップＳ２０１で選択された撮像画像に対し、マスク処理、ボンネット画像の重畳処理、検出対象物の強調表示、制御対象物の強調表示、および距離情報の重畳処理が行われ、これにより、提示画像が生成される。そして、ステップＳ２０７では、表示機能により、ステップＳ２０６で生成された提示画像が、ディスプレイ１５０の画面に表示される。
【００６４】
ステップＳ２０７で提示画像が表示されると、図１５に戻り、ステップＳ１１０に進む。ステップＳ１１０では、制御装置１７０により、イグニッションがオフになったか否かの判断が行われ、イグニッションがオフになるまでは、図１５に示す情報提示処理が繰り返される。一方、イグニッションがオフになった場合には、図１５に示す情報提示処理が終了する。
【００６５】
また、ステップＳ１０７において、提示画像の画像タイプが俯瞰画像タイプであると判断された場合には、ステップＳ１０９に進む。ステップＳ１０９では、コンピューターグラフィックスなどを用いて描画した俯瞰画像に基づいて提示画像を生成し、生成した俯瞰画像に基づく提示画像を提示する俯瞰画像提示処理が行われる。ここで、図１７は、ステップＳ１０９に示す俯瞰画像提示処理を示すフローチャートである。以下に、図１７を参照して、ステップＳ１０９の俯瞰画像提示処理について説明する。
【００６６】
まず、ステップＳ３０１では、第２画像生成機能により、図１１に示すように、車速指標に応じた俯角の俯瞰画像が描画される。すなわち、第２画像生成機能は、ステップＳ１０２で設定した車速指標に基づいて俯瞰画像の俯角を決定し、図１１（Ａ）〜（Ｃ）に示すように、決定した俯角の俯瞰画像を描画する。
【００６７】
ステップＳ３０２では、第２画像生成機能により、ステップＳ３０１で描画された俯瞰画像上に、検出対象物を示すアイコンが配置される。具体的には、第２画像生成機能は、図１２（Ａ）〜（Ｃ）に示すように、ステップＳ１０３で検出された検出対象物を示すアイコンを、自車両と検出対象物との実際の位置関係に応じた俯瞰画像上の位置に配置する。
【００６８】
ステップＳ３０３では、第２画像生成機能により、ステップＳ３０２で検出対象物を配置した俯瞰画像において、図１３（Ａ）〜（Ｆ）に示すように、制御対象物の強調表示が行われる。さらに、ステップＳ３０４では、第２画像生成機能により、ステップＳ３０３で制御対象物が強調表示された俯瞰画像に対して、図１４（Ａ）〜（Ｆ）に示すように、距離ガイドラインの重畳が行われる。
【００６９】
このように、ステップＳ３０２〜Ｓ３０４では、ステップＳ３０１で描画された俯瞰画像に対して、検出対象物の配置、制御対象物の強調表示、および距離ガイドラインの重畳処理が行われ、これにより、提示画像が生成される。そして、ステップＳ３０５では、表示機能により、ステップＳ３０４で生成された提示画像が、ディスプレイ１５０の画面に表示される。
【００７０】
また、図１５に戻り、ステップＳ１０５において、ステップＳ１０２における車速指標の設定が最初の車速指標の設定ではないと判断された場合、すなわち、前回処理において車速指標を設定している場合には、ステップＳ１１２に進む。
【００７１】
ステップＳ１１２では、表示機能により、車速指標が、提示画像の画像タイプの異なる車速指標に変化したか否かの判断が行われる。本実施形態では、図３に示すように、車速指標が「１」または「２」の場合は、提示画像の画像タイプとして撮像画像タイプが選択され、車速指標が「３」〜「５」の場合は、提示画像の画像タイプとして俯瞰画像タイプが選択される。そのため、表示機能は、たとえば、車速指標が「２」から「３」に変わり、提示画像の画像タイプが「撮像画像タイプ」から「俯瞰画像タイプ」に変化した場合には、車速指標が、提示画像の画像タイプの異なる車速指標に変化したと判断する。また同様に、表示機能は、たとえば、車速指標が「３」から「２」に変わり、提示画像の画像タイプが「俯瞰画像タイプ」から「撮像画像タイプ」に変化した場合には、車速指標が、提示画像の画像タイプの異なる車速指標に変化したと判断する。
【００７２】
そして、車速指標が、提示画像の画像タイプの異なる車速指標に変化したと判断された場合には、ステップＳ１１３に進む。一方、車速指標が、提示画像の画像タイプの異なる車速指標に変化していないと判断された場合には、ステップＳ１０７に進み、上述したステップＳ１０７〜Ｓ１１０の処理が行われる。
【００７３】
ステップＳ１１３では、提示画像の画像タイプが変更されているため、撮像画像に基づく提示画像と、俯瞰画像に基づく提示画像とを切り替えるための画像切り替え処理が行われる。ここで、図１８は、ステップＳ１１３に示す画像切り替え処理を示すフローチャートである。以下に、図１８を参照して、ステップＳ１１３の画像切り替え処理について説明する。
【００７４】
ステップＳ４０１では、表示機能により、撮像画像に基づく提示画像と、俯瞰画像に基づく提示画像とを切り替える切り替え時間が設定される。たとえば、表示機能は、予め定めた時間（たとえば１秒）を、切り替え時間として設定することができる。また、表示機能は、自車両の加速度に基づいて、切り替え時間を設定することもできる。たとえば、表示機能は、自車両の加速度が速いほど、切り替え時間を短くする構成とすることができる。
【００７５】
ステップＳ４０２では、表示機能により、撮像画像に基づく提示画像と俯瞰画像に基づく提示画像とが切り替わることをドライバーに報知する報知処理が行われる。たとえば、表示機能は、報知装置１６０であるスピーカーから提示画像が切り替わることを示す警告音やガイダンス音声を出力し、または、振動体を埋設したハンドルやシートなどのハプティック装置を振動させることで、ドライバーがディスプレイ１５０に注目していない場合でも、提示画像の切り替わりをドライバーに把握させることができる。
【００７６】
ステップＳ４０３では、表示機能により、切り替え画像の表示が行われる。表示機能は、図１９および図２０に示すように、撮像画像に基づく提示画像から俯瞰画像に基づく提示画像へと遷移するアニメーション画像、または、俯瞰画像に基づく提示画像から撮像画像に基づく提示画像へと遷移するアニメーション画像を、切り替え画像としてディスプレイ１５０に表示する。また、表示機能は、ステップＳ４０１で設定した画像切り替え時間をかけて、切り替え画像のアニメーションを表示する。これにより、画像切り替え時間をかけて、撮像画像に基づく提示画像と、俯瞰画像に基づく提示画像とが切り替わることとなる。
【００７７】
図１９は、撮像画像に基づく提示画像から俯瞰画像に基づく提示画像へと遷移する場合の切り替え画像の一例を示す図である。表示機能は、撮像画像に基づく提示画像から俯瞰画像に基づく提示画像へと遷移する場合に、まず、図１９（Ａ）に示す撮像画像に基づく提示画像を、図１９（Ｂ），（Ｃ）に示すように、外側から中央に向かって次第に小さくしていく。また、撮像画像に基づく提示画像を小さくしていくと同時に、図１９（Ｂ），（Ｃ）に示すように、ディスプレイ１５０の下方から俯瞰画像に基づく提示画像がせり上がるように、俯瞰画像に基づく提示画像を表示する。その結果、図１９（Ｄ）に示すように、撮像画像に基づく提示画像が消え、俯瞰画像に基づく提示画像のみが、ディスプレイ１５０の画面に表示される。
【００７８】
また、図２０は俯瞰画像に基づく提示画像から撮像画像に基づく提示画像へと遷移する場合の切り替え画像の一例を示す図ある。表示機能は、俯瞰画像に基づく提示画像から撮像画像に基づく提示画像へと遷移する場合に、まず、図２０（Ａ）に示す俯瞰画像に基づく提示画像を、図２０（Ｂ），（Ｃ）に示すように、ディスプレイ１５０の下方に消えていくように表示する。また、図２０（Ｂ），（Ｃ）に示すように、俯瞰画像に基づく提示画像を下方に消えるように表示するとともに、撮像画像に基づく提示画像を、ディスプレイ１５０の中央から次第に大きくなるように表示していく。その結果、図２０（Ｄ）に示すように、俯瞰画像に基づく提示画像が消え、撮像画像に基づく提示画像のみが、ディスプレイ１５０の画面に表示される。
【００７９】
以上のように、本実施形態に係る情報提示処理が行われる。続いて、図２１を参照して、車速指標と、ディスプレイ１５０の画面に表示される提示画像の遷移との関係について説明する。図２１は、車速指標と提示画像の遷移との関係の一例を示す図である。
【００８０】
たとえば、車速指標が「１」である場合には、図２１（Ａ）に示すように、撮像画像に基づく提示画像の提示が行われる。また、車速指標が「１」から「２」に変わると、同じく撮像画像に基づく提示画像が提示されるが、図２１（Ｂ）に示すように、車速指標が「１」である場合と比べて、左右方向の端部がマスク処理された提示画像が表示される。さらに、車速指標が「２」から「３」へと変わると、まず、図２１（Ｃ）に示すように、切り替え画像が表示され、画像切り替え処理が行われる。その後、図２１（Ｄ）に示すように、俯瞰画像に基づく提示画像が表示される。また、車速指標が「３」から「４」へと変わると、図２１（Ｅ）に示すように、俯角のより大きい俯瞰画像に基づく提示画像が表示され、車速指標が「４」から「５」に変わると、図２１（Ｆ）に示すように、俯角が最も大きい俯瞰画像に基づく提示画像が表示される。なお、車速指標が小さくなる場合も同様に、それぞれの車速指標に応じた提示画像が提示されるとともに、車速指標が「３」から「２」へと変わる場合には、切り替え画像が表示され、画像切り替え処理が行われる。
【００８１】
なお、自動走行制御が行われている場合のみに、車速指標に応じて提示画像を遷移させる構成とすることができる。この場合、自動走行制御が解除された場合には、車速指標に関係なく、図２１（Ｄ）に示す提示画像へと遷移し、自動走行制御が再度開始されるまで、図２１（Ｄ）に示す提示画像を提示する構成とすることができる。
【００８２】
以上のように、本実施形態に係る情報提示装置１００は、車速指標が低い場合には、撮像画像に基づく提示画像を表示し、車速指標が高い場合には、俯瞰画像に基づく提示画像を表示する。ここで、車速指標が低い場合には、自車両が駐車場や一般市町村道などを比較的遅い速度で走行し、自車両の周囲に歩行者、自転車、信号機などが多く存在する傾向にある。このような場合に、歩行者、自転車、信号機などの対象物を実際の撮像画像で提示することで、情報提示装置１００が歩行者、自転車、信号機などの対象物を検出できているか否かを、撮像画像と比較して、ドライバーに適切に把握させることができる。また、自車両の走行速度が速い場合には、自車両が一般道路や高速道路を走行する場面であり、自車両の周囲には、走行中の他車両が存在する傾向にある。このような場合に、俯瞰画像に基づく提示画像を表示することで、自車両の周囲における他車両の走行状態を、ドライバーに適切に把握させることができる。特に、本実施形態では、俯瞰画像を、コンピューターグラフィックスなどを用いて描画することで、撮像画像と比べて、自車両の周囲における他車両の走行状態を１つの画面で表示することができるとともに、画面に表示する対象物の情報を適宜絞ることができるため、ドライバーが必要とする自車両の周囲を走行する他車両の情報をドライバーに適切に把握させることができる。
【００８３】
また、本実施形態では、自車両の走行速度Ｖが低いほど車速指標を低く設定し、自車両の走行速度Ｖが速いほど車速指標を高く設定する。または、トランスミッションの変速比が高いほど車速指標を低く設定し、トランスミッションの変速比が低いほど車速指標を高く設定する。同様に、自車両が走行する道路の道路種別や制限速度Ｖｒ、自車両から対象物までの距離Ｄ、あるいは自車両の走行シーンが、自車両の周囲に歩行者、自転車、信号機などが多く存在し、自車両が比較的遅い速度で走行する場面で予測される走行状態となった場合に、車速指標を低く設定し、反対に、自車両の周囲に他車両が多く存在し、自車両が比較的速い速度で走行する場面で予測される走行状態となった場合に、車速指標を高く設定する。これにより、車速指標が低い場合には、自車両の周囲に歩行者、自転車、信号機などが多く存在する場面に適した、撮像画像に基づく提示情報を提示することができる。また、車速指標が高い場合には、自車両の周囲に他車両が多く存在する場面に適した、俯瞰画像に基づく提示情報を提示することができる。
【００８４】
さらに、本実施形態では、撮像画像に基づく提示画像を提示する場合に、自車両の走行速度Ｖが速いほど、マスク幅ｄを大きくし、撮像画像の左右端部をマスク処理する。ここで、車両の走行速度Ｖが速いほど、ドライバーの視野が狭くなることが知られている。本実施形態では、自車両の走行速度Ｖと撮像画像の大きさとの関係が、自車両の走行速度Ｖとドライバーの視野との関係と一致するように、自車両の走行速度Ｖが速いほどマスク幅ｄを大きくして、マスク処理を行うことで、ドライバーの違和感を軽減することができる。また、自車両の走行速度Ｖが速くなるほど、撮像画像の左右両端において風景が後方に流れる速度（オプティカルフロー）が速くなるため左右両端の画像がぼけてしまう。本実施形態では、自車両の走行速度が速くなるほど、撮像画像の左右両端をマスクすることで、このような画像のぼけによる、ドライバーの違和感を軽減することができる。
【００８５】
また、自車両の走行速度Ｖとドライバーの視野との関係と一致させるために、自車両の走行速度Ｖが速くなるほど、ドライバーに提示する提示画像を小さくしてしまうと、ドライバーに対象物の情報を適切に提示することができなくなる。さらに、自車両の走行速度Ｖが速い場合には、歩行者や自転車が自車両の周囲を通行する場面よりも、自車両の周囲に、自車両と同じ道路を走行している他車両が存在する場面であることが想定され、このような場合には、自車両と他車両との位置関係が重要となる。そこで、本実施形態では、車速指標が「３」以上となる場合には、俯瞰画像に基づく提示画像を提示する。これにより、自車両の走行速度Ｖとドライバーの視野との関係が一致しない場合でも、俯瞰画像に基づく提示画像はドライバーの視点とは大きく異なるため、ドライバーの違和感を軽減することができるとともに、自車両の走行速度Ｖが高い場合に重要な自車両の周囲を走行する他車両の情報を、ドライバーに適切に提示することができる。
【００８６】
さらに、本実施形態では、撮像画像に基づく提示画像を提示する場合に、図７（Ａ），（Ｂ）に示すように、自車両のボンネットを模したボンネット画像を重畳して表示する。これにより、撮像画像が自車両の前方を撮像した画像であることをドライバーに直感的に把握させることができる。また、本実施形態では、自車両の走行速度Ｖまたは車速指標が大きいほど、ボンネット画像の上下方向（Ｘ方向）の長さを長くする。これにより、自車両の走行速度Ｖが速くなるほど、自車両のボンネットをより高いアングルから見るような視覚効果が得られる。その結果、その後、自車両が加速していき、撮像画像に基づく提示画像から俯瞰画像に基づく提示画像へと変わることで、自車両をより上方から俯瞰するように提示画像のアングルが変化する場合でも、俯瞰画像に基づく提示画像を提示する前から、自車両の走行速度Ｖに応じてアングルが変化しているため、アングルの変化によるドライバーの違和感を軽減することができる。
【００８７】
加えて、本実施形態では、自車両の前方を撮像するカメラ１１０として、自車両から近距離の位置に存在する対象物の撮影に適した近距離カメラ（魚眼カメラ）と、自車両から中距離の位置に存在する対象物の撮影に適した中距離カメラと、自車両から長距離の位置に存在する対象物の撮影に適した遠距離カメラと、を有する。そして、車速指標が低い場合には、近距離カメラにより撮像された撮像画像に基づいて提示画像を生成し、車速指標が高い場合には、中距離カメラにより撮像された撮像画像に基づいて提示画像を生成する。これにより、車速指標が低い場合には、自車両の近傍を通行する歩行者や自転車などを適切に検出することができ、車速指標が高い場合には、自車両の前方を走行する自転車やバイクなどを適切に検出することができる。
【００８８】
また、本実施形態では、撮像画像に基づく提示画像を提示する場合に、カメラ１１０や測距センサ１２０により検出された検出対象物を強調して表示する。これにより、情報提示装置１００が検出している検出対象物をドライバーに適切に把握させることができる。さらに、本実施形態では、自動走行制御の対象となる制御対象物を、他の検出対象物とは異なる表示形態で強調して表示する。これにより、自動走行制御の対象となる制御対象物をドライバーに適切に把握させることもできる。加えて、本実施形態では、自車両から検出対象物（制御対象物を含む）までの距離情報を、検出対象物に重畳して表示する。これにより、自車両から検出対象物までの距離をドライバーに適切に把握させることができる。
【００８９】
さらに、本実施形態では、俯瞰画像に基づく提示画像を提示する場合に、車速指標に応じて、俯角の異なる俯瞰画像を描画する。具体的には、車速指標が高いほど、より自車両を上方から俯瞰しているような視覚効果を出すために、俯角の大きい俯瞰画像を描画する。これにより、図１４（Ａ）〜（Ｆ）に示すように、自車両の速度が速いほど、自車両の周囲をより広範に表示して、自車両の周囲を走行する他車両の走行状態をドライバーに提示することができる。その結果、自車両の走行速度が中程度である場合も、自車両が高速で走行している場合も、自車両と他車両とが接近する前に、自車両に接近する他車両をドライバーに適切に提示することができる。たとえば、自車両が高速で走行している場合には、自車両が低速で走行している場合と比べて、他車両が自車両に高速で接近する傾向にある。このような場合でも、自車両の周囲をより広範に提示することで、自車両に高速で接近する他車両を早いタイミングで（他車両が自車両に接近する前に）ドライバーに提示することができる。
【００９０】
加えて、本実施形態では、俯瞰画像に基づく提示画像を提示する場合に、カメラ１１０や測距センサ１２０により検出された検出対象物を、自車両と検出対象物との実際の位置関係に対応する俯瞰画像上の位置に配置する。これにより、情報提示装置１００が検出している対象物が自車両の周囲のどの位置を走行しているかを、ドライバーに適切に把握させることができる。また、本実施形態では、自動走行制御の対象となる制御対象物を強調して表示する。これにより、自動走行制御の対象となる制御対象物をドライバーに把握させることもできる。加えて、本実施形態では、自車両から検出対象物までの距離を示唆する距離ガイドラインを俯瞰画像に重畳して表示する。これにより、自車両から検出対象物までの距離をドライバーに適切に把握させることができる。
【００９１】
また、上述した実施形態では、撮像画像に基づく提示画像と、俯瞰画像に基づく提示画像とを切り替える場合に、撮像画像に基づく提示画像から俯瞰画像に基づく提示画像への遷移、または、俯瞰画像に基づく提示画像から撮像画像に基づく提示画像への遷移を示す切り替え画像を提示する。これにより、ドライバーの視点に近い撮像画像に基づく提示画像から、ドライバーの視点とは異なる俯瞰画像に基づく提示画像へと切り替わることによる、ドライバーの違和感を軽減することができる。同様に、ドライバーの視点とは異なる俯瞰画像に基づく提示画像から、ドライバーの視点に近い撮像画像に基づく提示画像へと切り替わることによる、ドライバーの違和感を軽減することができる。特に、本実施形態では、撮像画像に基づく提示画像と、俯瞰画像に基づく提示画像との切り替えを連続的にアニメーションで表示することで、よりドライバーの違和感を軽減することができる。さらに、本実施形態では、自車両の加速度が速いほど切り替え時間（切り替え画像の提示時間）を短くすることで（アニメーションの速度を速くすることで）、提示画像の切り替え動作が自車両の加速度と一体的に行われることとなり、ドライバーに自車両との一体感を与えることができる。
【００９２】
なお、以上に説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００９３】
たとえば、上述した実施形態では、自車両の走行速度Ｖ、トランスミッションの変速比、自車両が走行する道路の道路種別、自車両が走行する道路の制限速度Ｖｒ、自車両から対象物までの距離Ｄ、および自車両の走行シーンのいずれかに基づいて車速指標を算出し、算出した車速指標に基づいて、提示画像を切り替える構成を例示したが、この構成に限定されず、たとえば、車速指標を算出することなく、走行速度Ｖ、トランスミッションの変速比、道路種別、制限速度Ｄ、対象物までの距離Ｄ、または自車両の走行シーンそのものに基づいて、提示画像を切り替える構成としてもよい。
【００９４】
また、上述した実施形態では、撮像画像に基づく提示画像を表示する場合に、自車両の走行速度Ｖまたは車速指標に基づいて、撮像画像の左右端部をマスク処理する構成を例示したが、この構成に加えて、たとえば、自車両の走行速度Ｖまたは車速指標に基づいて、提示画像の上下端部をマスク処理する構成としてもよい。
【００９５】
なお、上述した実施形態に係るカメラ１１０は本発明のカメラに、カメラ１１０および測距センサ１２０は本発明の検出器に、それぞれ相当する。
【符号の説明】
【００９６】
１００…情報提示装置
１１０…カメラ
１２０…測距センサ
１３０…車速センサ
１４０…ナビゲーション装置
１５０…ディスプレイ
１６０…報知装置
１７０…制御装置
【図１】
2017068692.tif 000003
【図２】
2017068692.tif 000004
【図３】
2017068692.tif 000005
【図４】
2017068692.tif 000006
【図５】
2017068692.tif 000007
【図６】
2017068692.tif 000008
【図７】
2017068692.tif 000009
【図８】
2017068692.tif 000010
【図９】
2017068692.tif 000011
【図１０】
2017068692.tif 000012
【図１１】
2017068692.tif 000013
【図１２】
2017068692.tif 000014
【図１３】
2017068692.tif 000015
【図１４】
2017068692.tif 000016
【図１５】
2017068692.tif 000017
【図１６】
2017068692.tif 000018
【図１７】
2017068692.tif 000019
【図１８】
2017068692.tif 000020
【図１９】
2017068692.tif 000021
【図２０】
2017068692.tif 000022
【図２１】
2017068692.tif 000023
【手続補正書】
【提出日】平成28年5月16日(2016.5.16)
【手続補正１】
【補正対象書類名】特許請求の範囲
【補正対象項目名】全文
【補正方法】変更
【補正の内容】
【特許請求の範囲】
【請求項１】
カメラを含む検出器により検出された対象物の検出情報の表示制御を行う表示制御方法であって、
前記検出情報は、前記カメラにより撮像された撮像画像に基づく第１画像と、前記検出器の検出結果に基づいて描画された画像に基づく第２画像とを含み、
車両の走行速度が所定速度未満である場合には、前記第１画像を表示し、
前記車両の走行速度が前記所定速度以上である場合には、前記第２画像を表示する表示制御方法。
【請求項２】
カメラを含む検出器により検出された対象物の検出情報の表示制御を行う表示制御方法であって、
前記検出情報は、前記カメラにより撮像された撮像画像に基づく第１画像と、前記検出器の検出結果に基づいて描画された画像に基づく第２画像とを含み、
車両の走行速度、変速機の変速比、車両が走行する道路の制限速度、車両から前記対象物までの距離、並びに、停車シーン、徐行シーン、自転車並走シーン、街中走行シーン、郊外走行シーンおよび高速巡航シーンのいずれか１つ以上のシーンを含む車両の走行シーンのうちいずれか１つの車速指標が、所定速度未満の車速であることを示す場合には前記第１画像を表示し、前記車速指標が、前記所定速度以上の車速であることを示す場合には前記第２画像を表示する表示制御方法。
【請求項３】
請求項２に記載の表示制御方法であって、
前記車速指標は、変速機の変速比であり、
前記変速比が所定値以上である場合には、前記第１画像を表示し、
前記変速比が前記所定値未満である場合には、前記第２画像を表示する表示制御方法。
【請求項４】
請求項２に記載の表示制御方法であって、
前記車速指標は、車両の走行速度であり、
前記走行速度が所定速度未満である場合には、前記第１画像を表示し、
前記走行速度が前記所定速度以上である場合には、前記第２画像を表示する表示制御方法。
【請求項５】
請求項２に記載の表示制御方法であって、
前記車速指標は、車両が走行する道路の制限速度であり、
前記制限速度が所定速度未満である場合には、前記第１画像を表示し、
前記制限速度が前記所定速度以上である場合には、前記第２画像を表示する表示制御方法。
【請求項６】
請求項２に記載の表示制御方法であって、
前記車速指標は、車両から前記対象物までの距離であり、
前記距離が所定距離未満である場合には、前記第１画像を表示し、
前記距離が前記所定距離以上である場合には、前記第２画像を表示する表示制御方法。
【請求項７】
請求項２に記載の表示制御方法であって、
前記車速指標は、車両の走行シーンであり、
車両の走行状態に基づいて前記車両の走行シーンを判定し、前記車両の走行シーンに基づいて、前記第１画像と第２画像とを切り替えて表示する表示制御方法。
【請求項８】
請求項２〜７のいずれかに記載の表示制御方法であって、
前記第１画像を表示する場合に、前記第１画像の端部を、車両の走行速度または前記車速指標に応じた幅だけマスク処理する表示制御方法。
【請求項９】
請求項２〜８のいずれかに記載の表示制御方法であって、
前記第１画像を表示する場合に、前記第１画像に車両のボンネットを模したボンネット画像を重畳する表示制御方法。
【請求項１０】
請求項９に記載の表示制御方法であって、
車両の走行速度または前記車速指標に応じて、前記第１画像に重畳する前記ボンネット画像の大きさまたは形状を変更する表示制御方法。
【請求項１１】
請求項２〜１０のいずれかに記載の表示制御方法であって、
複数のカメラにより撮像された前記撮像画像を取得し、車両の走行速度または前記車速指標に基づいて、前記複数のカメラにより撮像された前記撮像画像の中から、前記第１画像の生成に用いる撮像画像を選択する表示制御方法。
【請求項１２】
請求項２〜１１のいずれかに記載の表示制御方法であって、
前記第１画像内において、前記検出器により検出された前記対象物を強調して表示する表示制御方法。
【請求項１３】
請求項２〜１２のいずれかに記載の表示制御方法であって、
前記検出器により検出された前記対象物のうち１または２以上の対象物を対象として車両の走行を制御している場合には、前記第１画像内において、前記制御の対象となる前記対象物を、前記制御の対象としない前記対象物とは異なる表示形態で強調して表示する表示制御方法。
【請求項１４】
請求項２〜１３のいずれかに記載の表示制御方法であって、
前記第１画像を表示する場合に、車両から前記対象物までの距離を示唆する距離情報を重畳する表示制御方法。
【請求項１５】
請求項２〜１４のいずれかに記載の表示制御方法であって、
前記第２画像は、自車両を上方から俯瞰した俯瞰画像に基づく画像である表示制御方法。
【請求項１６】
請求項１５に記載の表示制御方法であって、
前記第２画像を表示する場合に、前記車速指標に応じて、俯角の異なる前記第２画像を表示する表示制御方法。
【請求項１７】
請求項２〜１６のいずれかに記載の表示制御方法であって、
前記第２画像を表示する場合に、前記第２画像内に、前記検出器により検出された前記対象物を配置する表示制御方法。
【請求項１８】
請求項２〜１７のいずれかに記載の表示制御方法であって、
前記検出器により検出された前記対象物のうち１または２以上の対象物を対象として車両の走行を制御している場合には、前記第２画像内において、前記制御の対象となる前記対象物を強調して表示する表示制御方法。
【請求項１９】
請求項２〜１８のいずれかに記載の表示制御方法であって、
前記第２画像を表示する場合に、車両から前記対象物までの距離を示唆する距離情報を重畳する表示制御方法。
【請求項２０】
請求項２〜１９のいずれかに記載の表示制御方法であって、
前記第１画像と前記第２画像とを切り替える場合に、前記第１画像から前記第２画像への遷移、または、前記第２画像から前記第１画像への遷移を表す切り替え画像を表示する表示制御方法。
【請求項２１】
請求項２０に記載の表示制御方法であって、
車両の加速度に基づいて、前記第１画像と前記第２画像との切り替え時間を変更する表示制御方法。
【請求項２２】
カメラを含む検出器により検出された対象物の検出情報の表示制御を行う表示制御装置であって、
前記検出情報は、前記カメラにより撮像された撮像画像に基づく第１画像と、前記検出器の検出結果に基づいて描画された画像に基づく第２画像とを含み、
車両の走行速度が所定速度未満である場合には、前記第１画像を表示し、
前記車両の走行速度が前記所定速度以上である場合には、前記第２画像を表示する表示制御装置。
【国際調査報告】
2017068692.tif 000024
2017068692.tif 000025
2017068692.tif 000026
2017068692.tif 000027